(57)【要約】【課題】  コンタクトレンズのシステムを提供する。【解決手段】  コンタクトレンズのシステムは、少なくとも２枚のコンタクトレンズであって、それぞれのレンズは、非回転対称の眼の収差に対する視力矯正を行なう、コンタクトレンズを含む。それぞれのレンズは、安定化ゾーンの厚さと非安定化ゾーンの厚さとの間の厚み差によって特徴付けられる異なる安定化水準又は安定化度を有する。【選択図】  図１Ａ
2017003991.tif 000002
【特許請求の範囲】
【請求項１】
コンタクトレンズのシステムであって、
少なくとも２枚のコンタクトレンズであって、それぞれのレンズは、非回転対称の眼の収差に対する視力矯正を行なう、コンタクトレンズを含み、
それぞれのレンズは、安定化ゾーンの厚さと非安定化ゾーンの厚さとの間の厚み差を含む異なる安定化水準又は安定化度を有する、コンタクトレンズのシステム。
【請求項２】
それぞれのレンズは、プリズムバラスト、ペリ−バラスト、デュアルゾーン、まぶた安定デザイン、重力安定デザイン、及び加速安定デザインからなる群から選択される安定化機構を有する、請求項１に記載のシステム。
【請求項３】
前記少なくとも２枚のコンタクトレンズは、円形レンズを含む、請求項１に記載のシステム。
【請求項４】
前記少なくとも２枚のコンタクトレンズは、非円形レンズを含む、請求項１に記載のシステム。
【請求項５】
少なくとも２枚のトーリックコンタクトレンズを含み、それぞれのレンズは、異なる乱視円柱矯正に対応する異なる厚み差を有する、請求項１に記載のシステム。
【請求項６】
複数のトーリックコンタクトレンズを含む、請求項５に記載のシステム。
【請求項７】
前記厚み差は、０．１ｍｍ〜０．５ｍｍの範囲の最大厚み差を含む、請求項１に記載のシステム。
【請求項８】
前記厚み差は、最大厚み差の約３０％〜約９５％である、請求項１に記載のシステム。
【請求項９】
前記厚み差は、最大厚み差の約５０％〜約８０％である、請求項８に記載のシステム。
【請求項１０】
第１の安定化度を有する第１のコンタクトレンズと、
第２の安定化度を有する第２のコンタクトレンズであって、前記第２の安定化度は、前記第１のコンタクトレンズの厚み差より大きい厚み差に対応している、第２のコンタクトレンズと、を含む、請求項１に記載のシステム。
【請求項１１】
第３の安定化度を有する第３のコンタクトレンズを更に含み、前記第３の安定化度は、前記第２のコンタクトレンズの厚み差より大きい厚み差に対応している、請求項１０に記載のシステム。
【請求項１２】
第１の円柱矯正に対して第１の安定化度を有する第１のコンタクトレンズと、
第２の円柱矯正に対して第２の安定化度を有する第２のコンタクトレンズであって、前記第２の安定化度は、前記第１のコンタクトレンズの厚み差より大きい厚み差に対応している、第２のコンタクトレンズと、
第３の円柱矯正に対して第３の安定化度を有する第３のコンタクトレンズであって、前記第３の安定化度は、前記第２のコンタクトレンズの厚み差より大きい厚み差に対応している、第３のコンタクトレンズと、を含む、請求項１に記載のシステム。
【請求項１３】
前記第１の円柱矯正は、｜ＤＣ｜≦１．００ディオプター（Ｄ）の乱視度数の円柱を含み、
前記第２の円柱矯正は、１．００Ｄ＜｜ＤＣ｜≦１．５０Ｄの乱視度数の円柱を含み、
前記第３の円柱矯正は、１．５０Ｄ＜｜ＤＣ｜の乱視度数の円柱を含む、請求項１２に記載のシステム。
【請求項１４】
少なくとも２枚のレンズの前記厚み差は、前記視力矯正のための円柱矯正に対して単調増加の関係を有する、請求項１に記載のシステム。
【請求項１５】
前記少なくとも２枚のレンズの前記厚み差は、円柱矯正に対して線形関係を有する、請求項１４に記載のシステム。
【請求項１６】
前記少なくとも２枚のレンズの前記厚み差は、円柱矯正に対して多項式の関係を有する、請求項１４に記載のシステム。
【請求項１７】
前記少なくとも２枚のレンズの前記厚み差は、円柱矯正に対して区分的な関係を有する、請求項１４に記載のシステム。
【請求項１８】
患者にとってのレンズの快適性を最適化するための方法であって、
少なくとも２枚のコンタクトレンズのシステムを提供することであって、それぞれのレンズは、非回転対称の眼の収差に対する視力矯正を行ない、それぞれのレンズは、安定化ゾーンの厚さと非安定化ゾーンの厚さとの間の厚み差を含む異なる安定化水準又は安定化度を有する、ことと、
最小厚み差において所要の視力矯正を提供するレンズを前記システムから選定することと、を含む、方法。
【請求項１９】
それぞれのレンズは、プリズムバラスト、ペリ−バラスト、デュアルゾーン、まぶた安定デザイン、重力安定デザイン、及び加速安定デザインからなる群から選択される安定化機構を有する、請求項１８に記載の方法。
【請求項２０】
前記システムは、少なくとも２枚のトーリックコンタクトレンズを含み、それぞれのレンズは、異なる乱視円柱矯正に対応する異なる厚み差を有する、請求項１８に記載の方法。
【請求項２１】
前記厚み差は、０．１ｍｍ〜０．５ｍｍの範囲の最大厚み差を含む、請求項１８に記載の方法。
【請求項２２】
前記厚み差は、最大厚み差の約３０％〜約９５％である、請求項１８に記載の方法。
【発明の詳細な説明】
【技術分野】
【０００１】
本発明は、コンタクトレンズのシステムであって、それぞれのレンズは、非回転対称の眼の収差に対する視覚矯正に対応する異なる安定化水準又は安定化度を有する、コンタクトレンズのシステムと、所要の視覚矯正の関数として安定化デザインを変更することによって患者にとっての快適性を最適化する方法と、に関する。
【背景技術】
【０００２】
近視（myopia）又は近眼（nearsightedness）は、眼の視力障害又は屈折障害であり、網膜に到達する前に像からの光線が一点に集束する。近視は、概して、眼の球（eyeball）又は眼球（globe）が長すぎるため、又は角膜の傾斜が急すぎるために生じる。近視を矯正するためにマイナスすなわち負の倍率の球面レンズを利用することができる。遠視（Hyperopia）又は遠眼（farsightedness）は、眼の視覚障害又は屈折障害であり、網膜に到達した後か、又は網膜の後方で像からの光線が一点に集束する。遠視は、概して、眼の球又は眼球が短すぎるか、又は角膜が平らすぎるために生じる。遠視を矯正するためにプラスすなわち正の倍率の球面レンズを利用することができる。
【０００３】
乱視は、視力障害又は屈折障害であり、眼が点物体に焦点を合わせて、網膜上で焦点が合った像にすることができないため、個体の視野がぼやけてしまう。乱視は、（角膜及び水晶体を含む）眼の屈折面の非回転対称な湾曲によって生じる。乱視ではない眼の屈折面は、回転対称であるが、乱視の個体においては、屈折面は、回転対称ではない。言い換えると、屈折面のうち１つ又は２つ以上は、他の直交する主経線に対してある主経線において湾曲しているか、又は傾斜がより急であるので、像が一点に集束せずに２つの線状焦点に広がる。乱視を解消するために、回転対称のレンズではなく非回転対称のレンズを利用することができる。
【０００４】
コンタクトレンズを利用して、近視、遠視、乱視、並びに他の視力障害を矯正することができる。また、コンタクトレンズを利用して、装用者の眼の自然な外観を向上させることができる。コンタクトレンズ又はコンタクトは、眼の前面上に定置される簡易なレンズである。コンタクトレンズは医療装置とみなされ、視力の矯正及び／又は美容上若しくは他の治療上の理由で装用され得る。初期のコンタクトレンズは、硬質材料から製造又は製作され、比較的高価で脆弱であった。更に、これらの初期のコンタクトレンズは、コンタクトレンズを介して結膜及び角膜へと十分に酸素を透過させない材料から製作されており、これにより、場合によっては、多くの臨床上の悪影響が生じる可能性があった。これらのコンタクトレンズは現在も利用されているが、初期の快適性が低いのですべての患者に適しているわけではない。当分野における最近の開発によって、ヒドロゲル系のソフトコンタクトレンズが生み出され、これは、現在非常に一般的となっており、広く利用されている。特に、シリコーンヒドロゲルコンタクトレンズは、非常に高い酸素透過性を有するシリコーンの利点を、ヒドロゲルの持つ実証済みの快適性及び臨床成績と組み合わせたものである。本質的に、これらのシリコーンヒドロゲル系コンタクトレンズは、初期の硬質材料から製造されたコンタクトレンズより、酸素透過率が高く、装用が概ねより快適である。
【０００５】
コンタクトレンズは、１日使い捨てコンタクトレンズ、交換頻度の高いコンタクトレンズ、及び従来のコンタクトレンズにおおまかに分類することができる。１日使い捨てコンタクトレンズは、その名前が示唆するように、一日間装用されて、廃棄される。これらのレンズでは、洗浄液は、典型的には利用されない。交換頻度の高いコンタクトレンズとしては、製造業者及び／又は医師の推奨により２週間から最高１か月間再使用することができるレンズが挙げられ、一般的に洗浄及び消毒が毎日必要とされる。もっと長い期間の再使用が容認されるコンタクトレンズもある。交換頻度の高いレンズとしてはまた、睡眠中に装用することができる長時間装用コンタクトレンズが挙げられる。従来のコンタクトレンズ、すなわち再使用可能なコンタクトレンズは、はるか長い期間装用され、典型的にはおよそ６か月ごとに廃棄される。
【０００６】
角膜乱視は、ハード又は硬質ガス透過性コンタクトレンズを使用して矯正することができる。この場合、流体又は涙液レンズが硬質コンタクトレンズの後面と角膜との間に存在してもよい。この流体又は涙液レンズは、コンタクトレンズの後面の形状に沿うか、又はその形状になる。流体又は涙液レンズの屈折率は、角膜に対してほぼ一致するため、角膜トリシティ（corneal toricity）は、光学的に中和されるか、又は低減される。これらの場合、トーリックレンズは、概して必要ではない。しかしながら、硬質ガス透過性コンタクトレンズ及びハードコンタクトレンズは、一般的に、ソフトコンタクトレンズ又はヒドロゲルコンタクトレンズほど快適ではない。ソフトコンタクトレンズ又はヒドロゲルコンタクトレンズは、角膜周辺を包み込むため、流体レンズは、概して、見出されず、涙液は、薄膜に更に類似している。この場合、トーリックレンズのデザインが必要となる。
【０００７】
トーリックレンズは、相互に垂直な２つの配向で、２つの異なる度数を有する光学素子である。本質的には、トーリックレンズは、単一のレンズに組み込まれた、近視又は遠視を矯正するための１つの度数を有する球面レンズと、乱視を矯正するための１つの度数を有する円柱レンズと、を有する。これらの度数は、好ましくは眼に対して維持される様々な角度で配向された曲率で生成される。トーリックレンズは、眼鏡、眼内レンズ、及びコンタクトレンズにおいて利用することができる。眼鏡及び眼内レンズで使用されるトーリックレンズは、眼鏡フレーム又はハプティックスのいずれかによって眼に対して固定保持され、それにより最適な視覚矯正を常に提供している。しかしながら、トーリックコンタクトレンズは、眼上で回転する傾向があるので、準最適な視覚矯正を一時的に提供する場合がある。したがって、現在利用されているトーリックコンタクトレンズはまた、装用者が瞬きするか、又はきょろきょろする際、コンタクトレンズを眼上で比較的安定させる機構を備えている。多くの高次収差に関して、これらの多くが、非回転対称性であり、最適な視覚矯正を提供するために、位置安定性も必要とされる。
【０００８】
コンタクトレンズの使用は、眼上にあるときに効果的であるように、一対のコンタクトレンズのそれぞれが特定の配向で維持されなければならない場合に問題となる。コンタクトレンズが最初に眼上に定置されると、自らを自動的に位置付けするか、又は自動位置付けし、その後、その位置を経時的に維持しなければならない。しかしながら、いったんコンタクトレンズが位置付けられると、瞬き中、まぶた並びにまぶた及び涙液膜の動きによって、力がコンタクトレンズ上に加えられるため、眼上で回転する傾向がある。
【０００９】
典型的には、コンタクトレンズの機械的特性を変更することによって眼上でのコンタクトレンズの配向を維持することができる。例えば、コンタクトレンズの前面を後面に対して偏心又は傾転させることと、コンタクトレンズの下方周辺部を厚くすることと、コンタクトレンズの表面上に起伏を形成することと、コンタクトレンズの縁部を切り取ることと、を含む、プリズム安定化は、すべて利用されている方法である。
【００１０】
更に、厚いゾーン及び薄いゾーン、又は場合によっては、コンタクトレンズの周辺部の厚さが増大若しくは減少するエリアを使用することによって、コンタクトレンズを安定化させる、静的安定化が使用されてきた。典型的には、厚いゾーン及び薄いゾーンは、垂直軸及び／又は水平軸を中心に対称性を有するコンタクトレンズの周辺部に位置する。例えば、２つの厚いゾーンのそれぞれを、光学ゾーンの両側に位置付けてもよく、コンタクトレンズの０〜１８０度の軸線に沿って中心に配置してもよい。別の例では、プリズム安定化の重み効果と同様の重み効果を提供し、上まぶたの力を利用して、コンタクトレンズを安定させるために、上部から下部へ厚さが増大する領域も組み込んでいる、コンタクトレンズの下部に位置付けられた単一の厚いゾーンがデザインされてもよい。従来の技術文献が、本明細書で静的安定化を意味しているものに動的安定化という用語を利用していることに注意されたい。したがって、本発明の目的のため、静的安定化と動的安定化は区別なく利用されるものとする。
【発明の概要】
【発明が解決しようとする課題】
【００１１】
現在、デザイン又は利用されている安定化ゾーンの課題は、コンタクトレンズの安定性と快適性とのトレードオフ、及び厚さの増大に関連する物理的制約である。静的又は動的安定化ゾーンにより、安定化ゾーンの勾配がコンタクトレンズ内で固定される。安定化ゾーンの表面勾配を増大させるといった、回転速度を改善するためにデザインを変更することにより、コンタクトレンズの厚さが増大し、快適性に悪影響を与える場合がある。更に、コンタクトレンズのデザインは、２つの事項、すなわち、挿入時に適切な配向に回転することと、装用期間を通してその配向を維持することと、を達成しなければならない。従来のデザインは、これらの２つの形態間で性能のトレードオフを要する。
【００１２】
コンタクトレンズ内にデザインされた円柱矯正量が多くなるほど、レンズは、装用者の視力に悪影響を与えるという観点で、軸心ずれ及び眼上の回転安定性に対してより感度が高くなる。したがって、円柱矯正が高い場合、レンズデザインにおいて、頑強な安定化機構が必要となる。しかしながら、まぶたがレンズ上の機械的安定化機構と相互作用する際、かかる安定化機構により、患者の認識（awareness）が増大する場合がある。円柱矯正が低い場合、レンズデザインは、軸心ずれ及び回転安定性に対して感度が小さいため、円柱矯正が高い場合と比較すると、光学品質への同様の影響に対して通常の位置からより多く回転することができる。
【課題を解決するための手段】
【００１３】
本発明によるシステムは、それぞれのレンズが非回転対称の眼球収差に対して異なる安定化水準又は安定化度を有するコンタクトレンズのシステムを提供することによって従来技術の制約を解消する。本システムにより、レンズの認識を最小化することにより、快適性を提供しながら、視覚矯正も確保することができる。
【００１４】
一態様に従って、本発明は、少なくとも２枚のコンタクトレンズを含むコンタクトレンズのシステムであって、それぞれのレンズは、非回転対称の眼の収差に対する視力矯正を行なう、コンタクトレンズのシステムを目的とする。それぞれのレンズは、安定化ゾーンの厚さと非安定化ゾーンの厚さとの間の厚み差を含む異なる安定化水準又は安定化度を有する。
【００１５】
別の態様に従って、本発明は、患者にとってのレンズの快適性を最適化する方法を目的とする。それぞれのレンズが非回転対称の眼の収差に対して視力矯正を行なう、少なくとも２枚のコンタクトレンズのシステムが提供される。それぞれのレンズは、安定化ゾーンの厚さと非安定化ゾーンの厚さとの間の厚み差を含む異なる安定化水準又は安定化度を有する。レンズは、所要の視力矯正に好適な最小厚み差で視力矯正を提供するシステムから選定される。
【００１６】
本発明のシステムは、所要の視覚矯正の関数として安定化デザインを変更することによって、視覚矯正を必要とする患者の快適性を最適化する簡易で費用効率が高く、有効な手段及び方法を提供する。
【図面の簡単な説明】
【００１７】
本発明の前述並びに他の特徴及び利点は、添付の図面に示すように、本発明の好ましい実施形態の以下のより具体的な記載から明らかになるであろう。
【図１Ａ】高円柱矯正のための安定化デザイン（１Ａ）、中円柱矯正のための安定化デザイン（１Ｂ）、及び低円柱矯正のための安定化デザイン（１Ｃ）を有する３枚の異なるコンタクトレンズを含む、本発明の実施形態によるシステムを概略的に示す。
【図１Ｂ】高円柱矯正のための安定化デザイン（１Ａ）、中円柱矯正のための安定化デザイン（１Ｂ）、及び低円柱矯正のための安定化デザイン（１Ｃ）を有する３枚の異なるコンタクトレンズを含む、本発明の実施形態によるシステムを概略的に示す。
【図１Ｃ】高円柱矯正のための安定化デザイン（１Ａ）、中円柱矯正のための安定化デザイン（１Ｂ）、及び低円柱矯正のための安定化デザイン（１Ｃ）を有する３枚の異なるコンタクトレンズを含む、本発明の実施形態によるシステムを概略的に示す。
【図２Ａ】安定化デザインを有する円形コンタクトレンズ（２Ａ）及び安定化デザインを有する非円形コンタクトレンズ（２Ｂ）の本発明の実施形態による厚み差の測定値を示す。
【図２Ｂ】安定化デザインを有する円形コンタクトレンズ（２Ａ）及び安定化デザインを有する非円形コンタクトレンズ（２Ｂ）の本発明の実施形態による厚み差の測定値を示す。
【図３】低円柱矯正、中円柱矯正、及び高円柱矯正の関数としての所与の水準の残余光学誤差、方位差角を示す光学モデル化グラフである。
【図４】安定化デザイン、すなわち、それぞれ最大厚み差の５０％、７０％、及び１００％に対応する厚さを有する安定化ゾーンを有する３枚のコンタクトレンズに関して、回転不安定性（方位差角）の測定値を示す臨床データグラフである。
【図５】円柱矯正の関数としての安定化デザインの厚さの３つの様々な数学的関係を示すグラフである。
【発明を実施するための形態】
【００１８】
本発明は、コンタクトレンズのシステムであって、それぞれのレンズは、非回転対称の眼の収差に対する視覚矯正に対応する異なる安定化水準又は安定化度を有する、コンタクトレンズのシステムと、所要の光学矯正の関数として安定化デザインを変更することによって、視覚矯正を必要とする患者の快適性を最適化する方法と、を目的とする。簡潔化のために、トーリックコンタクトレンズ及び乱視円柱矯正を目的とする実施形態が以下で強調される。しかしながら、本発明は、かかる限定はなく、他の種類のレンズ及び視覚矯正（例えば、眼内高次収差、円錐角膜など）に適用されてもよいことが理解される。
【００１９】
多くの種類の市販のトーリックコンタクトレンズは、すべての乱視の程度に対して１つの安定化デザインを有している。対照的に、本発明の一実施形態によると、本システムは、乱視円柱矯正の関数として安定化デザインの程度が変更されるので、乱視矯正と快適性（例えば、レンズの認識が低下する）との両方を最適化することができる多数のトーリックコンタクトレンズを含む。本発明はまた、特注の視覚矯正に適用され、レンズの安定化デザインは、光学デザインにおいて、特注の円柱矯正がどの程度必要かによって正確に判断される。
【００２０】
Ｉ．安定化機構及びデザイン
本発明のシステムは、プリズムバラスト、ペリ−バラスト、デュアルゾーン（dual zone）、まぶた安定ゾーン（lid-stabilized zone）デザイン、重力安定ゾーン（gravity-stabilized zone）デザイン、加速安定（accelerated stabilized）デザインなどを含む任意の安定化機構を有するコンタクトレンズを含むがこれらに限定されない。
【００２１】
本発明によると、システムは、それぞれのレンズが円柱矯正（例えば、乱視円柱矯正）に対応する異なる安定化水準又は安定化度を有する任意の数のコンタクトレンズを含み得る。例えば、システムは、２枚以上のレンズを含んでもよく、１枚のレンズは、低円柱矯正に対する安定化デザインを有し、１枚のレンズは、高円柱矯正に対する安定化デザインを有する。特定の実施形態において、システムは、（例えば、低円柱矯正、中低の円柱矯正、中程度の円柱矯正又は中円柱矯正、中高の円柱矯正、高円柱矯正に対応する）複数のかかるレンズを有してもよい。システムは、円形及び／又は非円形のコンタクトレンズを含んでもよい。
【００２２】
図１Ａ〜図１Ｃは、３枚のレンズを含む本発明の一実施形態によるシステムを示す。それぞれのレンズは、デュアルゾーン安定化機構を有する。すなわち、レンズの鼻側領域における残りの部分に比べて厚さが増大した光学領域の外側の第１の安定化ゾーンと、側頭側領域における厚さが増大した光学領域の外側の第２の安定化ゾーンと、が存在する。図１Ａは、高円柱矯正のための安定化デザインを有するコンタクトレンズを示し、図１Ｂは、中円柱矯正のための安定化デザインを有するコンタクトレンズを示し、図１Ｃは、低円柱矯正のための安定化デザインを有するコンタクトレンズを示す。図示のように、安定化デザインの厚さは、図１Ａから図１Ｃへ減少している。
【００２３】
本発明によると、安定化デザインは、少なくとも１つの安定化ゾーンの厚さと少なくとも１つの非安定化ゾーンの厚さとの間で算出された厚み差（ＴＤ）によって特徴付けられる。厚み差は、安定化ゾーン又は安定化デザインの特定の構成及び／又は配置に関係なくレンズの最大絶対厚とレンズの最小絶対厚との間が測定される。
【００２４】
本発明の実施形態において、システムは、（１）第１の安定化度を有する第１のコンタクトレンズと、（２）第２の安定化度を有する第２のコンタクトレンズであって、第２の安定化度は、第１のコンタクトレンズの厚み差より大きい厚み差に対応している、第２のコンタクトレンズと、を含んでもよい。システムは、付加的なコンタクトレンズ、例えば、第２のコンタクトレンズの厚み差より大きい厚み差に対応する第３の安定化度を有する第３のコンタクトレンズを含んでもよい。
【００２５】
デュアルゾーン安定化デザインを有する円形レンズの特定の実施形態において、図２Ａに示すように、厚み差（ＴＤ）は、１）安定化ゾーンの厚さに対応する径方向外周の最大厚（ｔｍａｘ）と２）非安定化ゾーンに対応するレンズ軸からの同一の距離（ｄ）における異なる経線における径方向外周の最小厚（ｔｍｉｎ）との間で算出することができる（ＴＤ＝ｔｍａｘ−ｔｍｉｎ）。非安定化デザインを有する回転対称のレンズについて、厚み差はゼロであると考えられる。
【００２６】
特定の実施形態において、デュアルゾーン安定化デザインを有する非円形レンズに関して、図２Ｂに示すように、安定化ゾーンの径方向外周の最大厚（ｔｍａｘ）は、距離ｄｍａｘにおいて測定され、経線直径（Ｄ）のｐｍａｘ部分に相当する（ｐｍａｘ＝ｄｍａｘ／Ｄ）。径方向外周の最小厚（ｔｍｉｎ）は、距離ｄｍｉｎにおいて測定され、そのそれぞれの経線直径（ｄ）の同一のｐｍａｘ部分に相当する（ｐｍａｘ＝ｄｍｉｎ／ｄ）。
【００２７】
ＩＩ．円柱矯正及び回転不安定性の測定
記載のように、システムは、任意の数のコンタクトレンズであって、それぞれのレンズは、視力矯正（例えば、円柱）の関数として異なる安定化水準又は安定化度を有する、コンタクトレンズを含んでもよい。本発明の一実施形態によると、乱視矯正は、以下の円柱の範囲によって定義することができる。
１．低円柱矯正（Low Cyl）は、｜ＤＣ｜≦１．００ディオプター（Ｄ）の視度円柱矯正（diopter cylinder correction）を有し、
２．中円柱矯正（Mid Cyl）は、１．００Ｄ＜｜ＤＣ｜≦１．５０Ｄの視度円柱矯正を有し、
３．高円柱矯正（High Cyl）は、１．５０Ｄ＜｜ＤＣ｜の視度円柱矯正を有する。
【００２８】
当然、他の範囲の円柱矯正を所望の通り利用することができると考えられる（例えば、低円柱矯正、中低の円柱矯正、中程度の若しくは中円柱矯正、中高の円柱矯正、高円柱矯正、又はこれらの任意の組み合わせ）。
【００２９】
図３は、低、中、高円柱矯正及び多様な例示的な残余円柱誤差（すなわち、０．２５Ｄ、０．５０Ｄ、及び０．７５Ｄ）に対する円柱矯正の関数としての方位差角を示す光学モデル化グラフである。残余円柱誤差は、所与のレンズが眼上で誤って回転する際、眼球系に結果として生じる乱視的屈折誤差である。コンピュータによる光学モデル化を介して３つの曲線が得られた。特定の乱視矯正若しくは他の視力矯正に基づいて、かつ／又は円柱誤差の程度の差に対して類似のグラフを得ることができる。
【００３０】
図示のように、低円柱矯正（Low Cyl）を有するレンズに関して、残余円柱誤差に対する方位差角は、中円柱矯正（Mid Cyl）に関する方位差角及び高円柱矯正（High Cyl）に関する方位差角よりはるかに大きい。同様に、高円柱矯正（High Cyl）を有するレンズに関して、はるかに小さい方位差角が同一の残余円柱誤差をもたらしている。言い換えると、円柱矯正が高いほど、レンズの方位差による光学的誤差が大きくなる。
【００３１】
例えば、０．５０Ｄの残余円柱誤差の曲線は、それぞれ、低円柱矯正に関して、中円柱矯正に関して、かつ高円柱矯正に関して、およそ１つの線視力（ＶＡ）の減少（高コントラスト／高光度距離ＶＡ）に対応する、１５°、８°、及び５°の方位差角を有する。このように、グラフは、低円柱矯正であるコンタクトレンズは、高円柱矯正であるレンズより、軸心ずれ及び回転不安定性に対する感度がはるかに小さいことを示している。
【００３２】
ＩＩＩ．安定化デザインの変化に伴うレンズの回転不安定性
通常の装用中、レンズの方位差角が一連の時点にわたって測定される。かかる方位差角測定値の標準偏差、四分位範囲（ＩＱＲ）、又は他のある分散パラメータを使用して、経時的なレンズの回転不安定性を特徴付けることができる。
【００３３】
図４は、それぞれが異なる安定化度を有する（が、円柱矯正は一切ない）図１Ａ〜図１Ｃに示されるレンズデザインなどの３つのレンズデザインに関する回転不安定性のインビボの臨床測定値からのデータを示すグラフである。安定化デザインは、高円柱矯正に関して安定化ゾーンにおける最大厚み差（すなわち、１００％）及び最大厚み差の選択された割合（すなわち、５０％、７０％）を有するレンズに対応している。特定の実施形態において、安定化ゾーンの厚さは、最大厚み差の５０％〜８０％など３０％〜９５％であってもよい。特定の実施形態において、最大厚み差は、０．１ｍｍ〜０．５ｍｍ、例えば、０．１５ｍｍ〜０．４ｍｍの範囲内であってもよい。
【００３４】
９つの様々な視線方向への強制的な両眼の眼球運動の後、５人の患者に対して方位差角の臨床測定値が採取された。図示のように、四分位範囲（ＩＱＲボックス）はそれぞれ、５０％、７０％、及び１００％の安定化デザインに対して、およそ１０°、８°、及び６°の回転不安定値の第７５百分位数を示す。四分位範囲における実線は、中央測定値である。厚み差のレベルが低下すると、回転不安定性が増大する。
【００３５】
（図４に示すような）様々な厚み差に関する回転不安定性のデータは、（図３に示すような）様々な円柱矯正に関する回転不安定性のデータと比較することができる。０．５０ディオプターの残余円柱誤差（１５°、８°、及び５°）に関して、図４の第７５百分位数の回転不安定値（およそ１０°、８°、及び６°）は、図３の回転不安定値未満か、又は実質的に回転不安定値に匹敵するので、この比較から、図４による安定化デザインを有するコンタクトレンズが２．７５Ｄ以下の乱視円柱矯正を有する人々の視力のニーズを満たすであろうことが認められる。
【００３６】
本発明によると、有利なことに、図４のシステムは、最大厚み差（１００％）を有するコンタクトレンズだけでなく、最大厚み差よりレンズをあまり認識させないので、患者にとってより快適であると同時に、低円柱及び中円柱に対して所要の視覚矯正を提供する、他の安定化デザイン（最大厚み差の５０％、７０％）を有するコンタクトレンズも含む。
【００３７】
本発明によるレンズのシステムに関して、厚み差は、図５のグラフにおいて示されるように、円柱矯正の関数としてモデル化することができる。図示のように、厚み差は、円柱矯正に対して、単調に増加する線形関係、区分的な関係、階段状の関係、又は多項式の関係であり得る。
【００３８】
本発明はまた、光学矯正を必要とする患者にとってレンズの快適性を最適化する方法を目的とする。それぞれのレンズが非回転対称の眼の収差に対する光学矯正に対応する異なる安定化度を有する少なくとも２枚のコンタクトレンズのシステムが上述のように提供される。それぞれのレンズは、安定化ゾーンの最大厚と非安定化ゾーンの最小厚との間で算出された選定された厚み差を有する。レンズは、患者の所要の光学矯正に好適な最小厚み差において、この矯正を提供するシステムから選定される。このように、選定されたレンズは、最大厚み差を有するレンズより小さい厚み差（及びより高い回転不安定度）を有し得る。
【００３９】
現在利用可能なコンタクトレンズは、視覚矯正にとって費用効率が高い手段であり続けている。近視若しくは近眼、遠視若しくは遠眼、乱視、すなわち角膜の非球面性、及び老眼、すなわち、遠近調節する水晶体の能力の喪失を含む、視覚障害を矯正するために、薄いプラスチックレンズが眼の角膜にかぶせて装着される。コンタクトレンズは、多様な形態で入手可能であり、多様な材料で製造されて、様々な機能性を提供している。
【００４０】
終日装用ソフトコンタクトレンズは、典型的には、酸素透過性を目的として水と組み合わされた軟質ポリマー材料から製造される。終日装用ソフトコンタクトレンズは、１日使い捨て型であっても、連続装用の使い捨て型であってもよい。１日使い捨て型のコンタクトレンズは通常、１日にわたって装用され、その後、捨てられるが、連続装用の使い捨て型コンタクトレンズは通常、最大で３０日の期間にわたって装用される。着色ソフトコンタクトレンズは、様々な材料を使用して、様々な機能性を提供する。例えば、識別用着色コンタクトレンズは、落としたコンタクトレンズを発見する際に装用者を支援するために、明るい色合いを用いるものであり、強調用着色コンタクトレンズは、装用者の生来の眼色を強調することを意図した半透明の色合いを有するものであり、着色カラーコンタクトレンズは、装用者の眼の色を変化させることを意図した、より暗く不透明な色合いを備え、光フィルタリング着色コンタクトレンズは、特定の色を強調する一方で他の色を弱めるように機能する。硬質ガス透過性ハードコンタクトレンズは、シロキサン含有ポリマーから製造されるものであるが、ソフトコンタクトレンズよりも硬質であり、したがって、その形状を保ち、より耐久性の高いものである。二重焦点コンタクトレンズは、老眼である患者専用にデザインされるものであり、軟質及び硬質の両方の種類で入手可能である。トーリックコンタクトレンズは、乱視である患者専用にデザインされるものであり、同様に軟質及び硬質の両方の種類で入手可能である。上記の種々の態様を組み合わせたコンビネーションレンズ、例えばハイブリッドコンタクトレンズもまた入手可能である。
【００４１】
本発明のレンズデザインは、終日装用ソフトコンタクトレンズ、硬質ガス透過性コンタクトレンズ、二重焦点コンタクトレンズ、及びハイブリッドコンタクトレンズを含む、本明細書に記載されたコンタクトレンズのうちいずれかにおいて利用することができる。
【００４２】
最も実用的で好ましい実施形態であると考えられるものを図示及び記載したが、記載及び図示した特定のデザイン及び方法からの逸脱は、それ自体が当業者に示唆され、本発明の趣旨及び範囲から逸脱することなく使用され得ることは明らかである。本発明は、記載及び図示される特定の構造に限定されるものではないが、添付の特許請求の範囲内に含まれ得るすべての変更例と一貫性を有するものとして解釈されるべきである。
【００４３】
〔実施の態様〕
（１）  コンタクトレンズのシステムであって、
少なくとも２枚のコンタクトレンズであって、それぞれのレンズは、非回転対称の眼の収差に対する視力矯正を行なう、コンタクトレンズを含み、
それぞれのレンズは、安定化ゾーンの厚さと非安定化ゾーンの厚さとの間の厚み差を含む異なる安定化水準又は安定化度を有する、コンタクトレンズのシステム。
（２）  それぞれのレンズは、プリズムバラスト、ペリ−バラスト、デュアルゾーン、まぶた安定デザイン、重力安定デザイン、及び加速安定デザインからなる群から選択される安定化機構を有する、実施態様１に記載のシステム。
（３）  前記少なくとも２枚のコンタクトレンズは、円形レンズを含む、実施態様１に記載のシステム。
（４）  前記少なくとも２枚のコンタクトレンズは、非円形レンズを含む、実施態様１に記載のシステム。
（５）  少なくとも２枚のトーリックコンタクトレンズを含み、それぞれのレンズは、異なる乱視円柱矯正に対応する異なる厚み差を有する、実施態様１に記載のシステム。
【００４４】
（６）  複数のトーリックコンタクトレンズを含む、実施態様５に記載のシステム。
（７）  前記厚み差は、０．１ｍｍ〜０．５ｍｍの範囲の最大厚み差を含む、実施態様１に記載のシステム。
（８）  前記厚み差は、最大厚み差の約３０％〜約９５％である、実施態様１に記載のシステム。
（９）  前記厚み差は、最大厚み差の約５０％〜約８０％である、実施態様８に記載のシステム。
（１０）  第１の安定化度を有する第１のコンタクトレンズと、
第２の安定化度を有する第２のコンタクトレンズであって、前記第２の安定化度は、前記第１のコンタクトレンズの厚み差より大きい厚み差に対応している、第２のコンタクトレンズと、を含む、実施態様１に記載のシステム。
【００４５】
（１１）  第３の安定化度を有する第３のコンタクトレンズを更に含み、前記第３の安定化度は、前記第２のコンタクトレンズの厚み差より大きい厚み差に対応している、実施態様１０に記載のシステム。
（１２）  第１の円柱矯正に対して第１の安定化度を有する第１のコンタクトレンズと、
第２の円柱矯正に対して第２の安定化度を有する第２のコンタクトレンズであって、前記第２の安定化度は、前記第１のコンタクトレンズの厚み差より大きい厚み差に対応している、第２のコンタクトレンズと、
第３の円柱矯正に対して第３の安定化度を有する第３のコンタクトレンズであって、前記第３の安定化度は、前記第２のコンタクトレンズの厚み差より大きい厚み差に対応している、第３のコンタクトレンズと、を含む、実施態様１に記載のシステム。
（１３）  前記第１の円柱矯正は、｜ＤＣ｜≦１．００ディオプター（Ｄ）の乱視度数の円柱（astigmatic diopter cylinder）を含み、
前記第２の円柱矯正は、１．００Ｄ＜｜ＤＣ｜≦１．５０Ｄの乱視度数の円柱を含み、
前記第３の円柱矯正は、１．５０Ｄ＜｜ＤＣ｜の乱視度数の円柱を含む、実施態様１２に記載のシステム。
（１４）  少なくとも２枚のレンズの前記厚み差は、前記視力矯正のための円柱矯正に対して単調増加の関係を有する、実施態様１に記載のシステム。
（１５）  前記少なくとも２枚のレンズの前記厚み差は、円柱矯正に対して線形関係を有する、実施態様１４に記載のシステム。
【００４６】
（１６）  前記少なくとも２枚のレンズの前記厚み差は、円柱矯正に対して多項式の関係を有する、実施態様１４に記載のシステム。
（１７）  前記少なくとも２枚のレンズの前記厚み差は、円柱矯正に対して区分的な関係を有する、実施態様１４に記載のシステム。
（１８）  患者にとってのレンズの快適性を最適化するための方法であって、
少なくとも２枚のコンタクトレンズのシステムを提供することであって、それぞれのレンズは、非回転対称の眼の収差に対する視力矯正を行ない、それぞれのレンズは、安定化ゾーンの厚さと非安定化ゾーンの厚さとの間の厚み差を含む異なる安定化水準又は安定化度を有する、ことと、
最小厚み差において所要の視力矯正を提供するレンズを前記システムから選定することと、を含む、方法。
（１９）  それぞれのレンズは、プリズムバラスト、ペリ−バラスト、デュアルゾーン、まぶた安定デザイン、重力安定デザイン、及び加速安定デザインからなる群から選択される安定化機構を有する、実施態様１８に記載の方法。
（２０）  前記システムは、少なくとも２枚のトーリックコンタクトレンズを含み、それぞれのレンズは、異なる乱視円柱矯正に対応する異なる厚み差を有する、実施態様１８に記載の方法。
【００４７】
（２１）  前記厚み差は、０．１ｍｍ〜０．５ｍｍの範囲の最大厚み差を含む、実施態様１８に記載の方法。
（２２）  前記厚み差は、最大厚み差の約３０％〜約９５％である、実施態様１８に記載の方法。
【図１Ａ】
2017003991.tif 000003
【図１Ｂ】
2017003991.tif 000004
【図１Ｃ】
2017003991.tif 000005
【図２Ａ】
2017003991.tif 000006
【図２Ｂ】
2017003991.tif 000007
【図３】
2017003991.tif 000008
【図４】
2017003991.tif 000009
【図５】
2017003991.tif 000010
【外国語明細書】
2017003991000001.pdf